(57)【特許請求の範囲】
【請求項１】
外部からの操作入力を受け付ける端末装置と通信可能に接続された文書管理装置であって、
ユーザ識別情報及び画像識別情報が付与された画像データを格納する画像記憶手段と、
１の種類のプロトコルを介して前記端末装置から受け付けたユーザ識別情報と対応するユーザ識別情報が付与された前記画像データの内、前記端末装置に対して未送信の画像データに付与された画像識別情報を前記画像記憶手段から読み出して前記端末装置に送信し、該端末装置において受信した画像識別情報から選択された選択情報を受け付ける選択受付手段と、
前記選択情報に対応する画像識別情報が付与された画像データを前記画像記憶手段から読み出し、前記端末装置に他の種類のプロトコルを介して送信する画像送信手段とを備えることを特徴とする文書管理装置。
【請求項２】
前記１の種類のプロトコルは、ＨＴＴＰプロトコルであることを特徴とする請求項１に記載の文書管理装置。
【請求項３】
前記他の種類のプロトコルは、ＳＭＢプロトコルであることを特徴とする請求項１又は２に記載の文書管理装置。
【請求項４】
ファクシミリ機能を有し、
前記画像記憶手段は、ファクシミリ機能により送信又は受信された画像データを格納することを特徴とする請求項１〜３のいずれかに記載の文書管理装置。
【請求項５】
スキャン機能を有し、
前記画像記憶手段は、スキャン機能によりスキャンされた画像データを格納することを特徴とする請求項１〜３のいずれかに記載の文書管理装置。
【発明の詳細な説明】
【技術分野】
【０００１】
本発明は、外部からの操作入力を受け付ける端末装置と通信可能に接続された文書管理装置に関する。
【背景技術】
【０００２】
ファクシミリ機能を有し、公衆交換電話網等の通信回線に接続されたファクシミリサーバ装置（以下、サーバ装置という）と、パーソナルコンピュータ等からなるクライアント端末装置（以下、端末装置という）とがＬＡＮ（Ｌｏｃａｌ  Ａｒｅａ  Ｎｅｔｗｏｒｋ）等の通信回線を介して接続されファクシミリシステムが実用化されている。このファクシミリシステムでは、サーバ装置が受信した画像データ等を所定の端末装置に転送することによって、端末装置が画像データを取得できる。なお、「ファクシミリ機能」とは、「インターネットファクシミリ機能」及び「Ｇ３ファクシミリ機能」の総称（上位概念）であるものとする。例えば、「ファクシミリ機能を有する」とは、「インターネットファクシミリ機能及びＧ３ファクシミリ機能の少なくとも一方を有する」ことを意味するものとする。
【０００３】
このようなサーバ装置では、例えば電子メールを介して、受信した画像データを端末装置に送信することができる。具体的には、所定のＵＲＬ（Ｕｎｉｆｏｒｍ  Ｒｅｓｏｕｒｃｅ  Ｌｏｃａｔｏｒ）に対応する記憶領域に画像データを格納し、画像データの格納された記憶領域のＵＲＬを送信先の端末装置に電子メールを介して通知する。そして、端末装置において、電子メール中のハイパーリンクされたＵＲＬがクリックされることにより、ブラウザ（例えば、通信回線を介してサーバ装置に格納されたデータを取得して、モニタ等に表示し又はデータ入力等を行うための閲覧プログラム）が起動されて、指定されたＵＲＬにアクセスされて、ＵＲＬに対応する画像データが取得されて、その画像をモニタ等に表示することができる（例えば、特許文献１参照。）。
【特許文献１】特開２０００−１６５５９０号公報
【発明の開示】
【発明が解決しようとする課題】
【０００４】
しかしながら、１の端末装置において、ブラウザが起動されて、サーバ装置からの画像データの取得が終了するまでは、その端末装置からサーバ装置に対して操作を行えないという課題があった。
【０００５】
本発明は、かかる課題に鑑みてなされたものであり、画像データを好適に取得可能な文書管理装置を提供することを目的としている。
【課題を解決するための手段】
【０００６】
上記目的を達成するために、請求項１記載の文書管理装置は、外部からの操作入力を受け付ける端末装置と通信可能に接続された文書管理装置であって、ユーザ識別情報及び画像識別情報が付与された画像データを格納する画像記憶手段と、１の種類のプロトコルを介して前記端末装置から受け付けたユーザ識別情報と対応するユーザ識別情報が付与された前記画像データの内、前記端末装置に対して未送信の画像データに付与された画像識別情報を前記画像記憶手段から読み出して前記端末装置に送信し、該端末装置において受信した画像識別情報から選択された選択情報を受け付ける選択受付手段と、前記選択情報に対応する画像識別情報が付与された画像データを前記画像記憶手段から読み出し、前記端末装置に他の種類のプロトコルを介して送信する画像送信手段とを備えることを特徴としている。
【０００７】
この構成によれば、画像記憶手段に、ユーザ識別情報及び画像識別情報が付与された画像データが格納されており、選択受付手段によって、１の種類のプロトコルを介して端末装置から受け付けたユーザ識別情報と対応するユーザ識別情報が付与された画像データの内、当該端末装置に対して未送信の画像データに付与された画像識別情報を画像記憶手段から読み出して当該端末装置に送信し、該端末装置において受信した画像識別情報から選択された選択情報が受け付けられる。そして、画像送信手段によって、選択情報に対応する画像識別情報が付与された画像データが画像記憶手段から読み出され、端末装置に前記１の種類のプロトコルとは異なる他の種類のプロトコルを介して送信される。
【０００８】
そこで、１の種類のプロトコル（ここでは、第１のプロトコルという）を介して端末装置から画像データの選択情報が受け付けられ、前記１の種類のプロトコルとは異なる種類のプロトコル（ここでは、第２のプロトコルという）を介して画像データが端末装置へ送信されるため、第２のプロトコルを介して画像データが端末装置へ送信されている場合であっても、第１のプロトコルを介して画像データの選択情報が受け付けられる。従って、画像データを好適に取得することが可能となる。
【０００９】
請求項２記載の文書管理装置は、前記１の種類のプロトコルが、ＨＴＴＰプロトコルであることを特徴としている。
【００１０】
この構成によれば、選択受付手段によって、ＨＴＴＰプロトコルを介して端末装置から画像データの選択情報が受け付けられる。
【００１１】
従って、ＨＴＴＰプロトコルを介して端末装置から画像データの選択情報が受け付けられるため、端末装置から画像データの選択情報を好適に受け付けることが可能となる。
【００１２】
請求項３記載の文書管理装置は、前記他の種類のプロトコルが、ＳＭＢプロトコルであることを特徴としている。
【００１３】
この構成によれば、ＳＭＢプロトコルを介して画像データが端末装置へ送信されるため、画像データを更に好適に取得することが可能となる。
【００１４】
請求項４記載の文書管理装置は、ファクシミリ機能を有し、前記画像記憶手段が、ファクシミリ機能により送信又は受信された画像データを格納することを特徴としている。
【００１５】
この構成によれば、インターネットファクシミリ機能により送信又は受信された画像データを、好適に取得することが可能となる。
【００１６】
請求項５記載の文書管理装置は、スキャン機能を有し、前記画像記憶手段が、スキャン機能によりスキャンされた画像データを格納することを特徴としている。
【００１７】
この構成によれば、スキャン機能によりスキャンされた画像データを、好適に取得することが可能となる。
【発明の効果】
【００１８】
請求項１に記載の文書管理装置によれば、第２のプロトコルを介して画像データが端末装置へ送信されている場合であっても、第１のプロトコルを介して端末装置から受け付けたユーザ識別情報と対応するユーザ識別情報が付与された画像データの内、当該端末装置に対して未送信の画像データに付与された画像識別情報を画像記憶手段から読み出して当該端末装置に送信し、該端末装置において受信した画像識別情報から選択された選択情報が受け付けられるため、画像データを好適に取得することができる。
【００１９】
請求項２に記載の文書管理装置によれば、ＨＴＴＰプロトコルを介して端末装置から画像データの選択情報が受け付けられるため、端末装置から画像データの選択情報を好適に受け付けることができる。
【００２０】
請求項３に記載の文書管理装置によれば、ＳＭＢプロトコルを介して画像データが端末装置へ送信されるため、画像データを更に好適に取得することができる。
【００２１】
請求項４に記載の文書管理装置によれば、ファクシミリ機能により送信又は受信された画像データを、好適に取得することができる。
【００２２】
請求項５に記載の文書管理装置によれば、スキャン機能によりスキャンされた画像データを、好適に取得することができる。
【発明を実施するための最良の形態】
【００２３】
以下、本発明に係るネットワークファクシミリ装置（文書管理装置の実施形態の一例）について図面に基づき説明する。本発明に係るネットワークファクシミリ装置としては、原稿の画像データをインターネットファクシミリ機能によって受信するものを例に挙げて説明するが、これ以外の通信機能により画像データを送信又は受信するものや、スキャン機能によりスキャンされた画像データを扱うものであっても本発明を適用することは可能である。例えば、ファクシミリ機能を有する複合機である形態でもよい。すなわち、文書管理装置がインターネットファクシミリ機能又はＧ３ファクシミリ機能を有する形態でもよい。
【００２４】
図１は、本発明に係るネットワークファクシミリシステムの一例を示す構成図である。すなわち、ネットワークファクシミリ装置１は、ＣＰＵ（中央処理装置）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、画像メモリ１１４、モデム１１５、ＮＣＵ（Ｎｅｔｗｏｒｋ  Ｃｏｎｔｒｏｌ  Ｕｎｉｔ）１１６、コーデック（ＣＯＤＥＣ：Ｃｏｄｅｒ  ａｎｄ  Ｄｅｃｏｄｅｒ）１１７、読取部１１８、記録部１１９、操作部１２０、表示部１２１、及びＬＡＮインターフェース１２２を備えたものであって、各部１１１〜１２２は、バス１２３を介して通信可能に接続されている。
【００２５】
ＣＰＵ１１１は、ＲＯＭ１１３に格納された制御プログラムに従って、このネットワークファクシミリ装置１を構成する各部１１２〜１２２を制御する制御手段として機能する。ＲＡＭ１１２は、ＣＰＵ１１１のワークエリア等として機能する。ＲＯＭ１１３は前記制御プログラムを格納する。画像メモリ１１４は、送受信した画像データ、読取部１１８で読み取った画像データ等を蓄積する。
【００２６】
モデム１１５は、例えばＩＴＵ−Ｔ（国際電気通信連合）の勧告Ｖ．３４規格又はこれと同様のものに従った送受信データの変調及び復調を行うものである。ＮＣＵ１１６は、電話回線を制御して電話をかけたり、切ったりする回線網制御装置であって、ＰＳＴＮ（公衆交換電話網）５１を介して、Ｇ３ファクシミリ５２と通信可能に接続されている。コーデック１１７は、画像データの符号化及び復号を行うものである。すなわち、読取部１１８により読み取った原稿の画像データを送信のためにＭＨ、ＭＲ方式等により符号化し、外部から受信した画像データを復号する。
【００２７】
読取部１１８は、原稿の画像データを読み取るものであり、例えば、ＣＣＤカラーラインセンサ、Ａ／Ｄコンバータ、画像処理回路等で構成されている。記録部１１９は、受信した画像データ等を記録紙上に画像形成処理（印刷処理）を行うものである。例えば電子写真方式のものが適用される。操作部１２０は、ユーザが情報を入力する入力キー、タッチパネル等から構成され、ユーザによる各種の入力操作は、この操作部１２０を介して行われる。表示部１２１は、例えば操作部１２０に並設されたＬＣＤ（Ｌｉｑｕｉｄ  Ｃｒｙｓｔａｌ  Ｄｉｓｐｌａｙ）等からなり、各種の画面情報を表示する表示手段として機能する。ＬＡＮインターフェース１２２は、ネットワークファクシミリ装置１とＬＡＮ（Ｌｏｃａｌ  Ａｒｅａ  Ｎｅｔｗｏｒｋ）２１とを通信可能に接続する。
【００２８】
ＬＡＮ２１には、例えば、ユーザからの操作入力を受け付けるクライアント端末装置４（端末装置に相当する）が接続されると共に、ルータ２２及びインターネット２３を介してインターネットファクシミリ装置３が接続されている。
【００２９】
クライアント端末装置４は、例えば、パーソナルコンピュータ等からなり、マウス、キーボード等を介してユーザからの操作入力を受け付けて、ＬＡＮ２１を介してネットワークファクシミリ装置１への操作入力を伝送すると共に、ネットワークファクシミリ装置１からＬＡＮ２１を介して画像データ等の種々の情報を受信して、モニタに表示する。ここでは、ネットワークファクシミリ装置１は、クライアント端末装置４と、ＨＴＴＰ（Ｈｙｐｅｒｔｅｘｔ  Ｔｒａｎｓｆｅｒ  Ｐｒｏｔｏｃｏｌ）プロトコル及びＳＭＢ（Ｓｅｒｖｅｒ  Ｍｅｓｓａｇｅ  Ｂｌｏｃｋ）プロトコルでの通信が可能に接続されているものとする。
【００３０】
上記した構成を備えるネットワークファクシミリ装置１は、ファクシミリ機能を有している。すなわち、ネットワークファクシミリ装置１は、Ｇ３ファクシミリ機能及びインターネットファクシミリ機能を備え、インターネットファクシミリ機能によって、ＬＡＮ２１及びインターネット２３を介してインターネットファクシミリ装置３との間で画像データの送受信を行い、Ｇ３ファクシミリ機能によって、ＰＳＴＮ５１を介してＧ３ファクシミリ５２との間で画像データの送受信を行うものである。また、ネットワークファクシミリ装置１は、読取部１１８により原稿の画像データを読み取る、いわゆるスキャン機能を有している。
【００３１】
図２は、本発明の主要部（文書管理装置に相当する）の一例を示す機能構成図である。ネットワークファクシミリ装置１のＣＰＵ１１１は、機能的に、インターネットファクシミリ装置３から画像データを受信する（すなわち、上述のインターネットファクシミリ機能を実現する）画像受信部１１１ａと、クライアント端末装置４から画像データの選択情報を受け付ける選択受付部１１１ｂ（選択受付手段に相当する）と、選択情報に対応する画像データを後述する画像記憶部１１２ａから読み出す画像読出部１１１ｃ（画像送信手段の一部に相当する）と、読み出された画像データをクライアント端末装置４へ送信する画像送信部１１１ｄ（画像送信手段の一部に相当する）とを備えている。
【００３２】
ネットワークファクシミリ装置１のＲＡＭ１１２は、機能的に、インターネットファクシミリ装置３から受信した画像データを格納する画像記憶部１１２ａ（画像記憶手段に相当する）と、クライアント端末装置４から受け付けられた選択情報を格納する選択情報記憶部１１２ｂとを備えている。
【００３３】
ここでは、ＣＰＵ１１１が、ＲＯＭ１１３等に予め格納された制御プログラムを読み出して実行することにより、画像受信部１１１ａ、選択受付部１１１ｂ、画像読出部１１１ｃ、及び、画像送信部１１１ｄを含む機能部として機能すると共に、ＲＡＭ１１２を画像記憶部１１２ａ及び選択情報記憶部１１２ｂを含む機能部として機能させるものである。
【００３４】
次に、ネットワークファクシミリ装置１の各機能部について説明する。画像受信部１１１ａは、インターネット２３、ＬＡＮ２１及びＬＡＮインターフェース１２２を介してインターネットファクシミリ装置３から画像データを受信する。更に、画像受信部１１１ａは、受信した画像データに所定のルールに従って画像データの識別情報（以下、画像識別情報という）を付与して、受信した画像データの宛先であるユーザ識別情報と対応づけて画像記憶部１１２ａに格納する。例えば、画像受信部１１１ａは、受信した画像データに、受信された順番を示す一連番号を画像識別情報として付与する。
【００３５】
選択受付部１１１ｂは、画像受信部１１１ａによりインターネットファクシミリ装置３から受信された画像データの選択情報を、ＨＴＴＰプロトコルを介して、クライアント端末装置４から受け付けるものである。具体的には、選択受付部１１１ｂは、クライアント端末装置４からユーザ識別情報を受け付けて、受け付けられたユーザ識別情報に対応する画像データの内、クライアント端末装置４に対して送信されていない画像データの画像識別情報を読み出して、クライアント端末装置４へ送信する。
【００３６】
そして、クライアント端末装置４は、受信された画像識別情報をモニタ等に選択可能に表示する。また、クライアント端末装置４は、マウス、キーボード等を介して、画像識別情報を選択する操作入力を受け付けて、選択された画像識別情報を選択情報としてネットワークファクシミリ装置１へ送信する。更に、選択受付部１１１ｂは、クライアント端末装置４から選択情報として画像データの画像識別情報を受け付けて、受け付けた画像識別情報をクライアント端末装置４の識別情報である端末識別情報と対応付けて選択情報記憶部１１２ｂに格納する。
【００３７】
画像読出部１１１ｃは、選択受付部１１１ｂによって受け付けられた選択情報に対応する画像データを画像記憶部１１２ａから読み出すものである。具体的には、画像読出部１１１ｃは、選択受付部１１１ｂによって受け付けられて、選択情報記憶部１１２ｂに格納された選択情報を読み出すものである。ここで、選択情報は、クライアント端末装置４の端末識別情報と選択された画像データの画像識別情報とを含む。また、画像読出部１１１ｃは、選択情報に含まれる画像識別情報に対応する画像データを画像記憶部１１２ａから読み出すものである。
【００３８】
画像送信部１１１ｄは、画像読出部１１１ｃによって読み出された画像データを、ＳＭＢプロトコルを介して、選択情報に含まれる端末識別情報に対応するクライアント端末装置４へ送信する。
【００３９】
画像記憶部１１２ａは、画像受信部１１１ａによってインターネットファクシミリ装置３から受信された画像データを宛先であるユーザ識別情報及び画像受信部１１１ａによって付与された画像識別情報と対応づけて格納する。具体的には、画像記憶部１１２ａには、ユーザ識別情報に対応付けて記憶領域（ここでは、例えば、フォルダ）が設定されており、各フォルダには、例えば、ユーザ識別情報からなる名称がフォルダ名称として付与されている。そして、画像データは、その宛先であるユーザ識別情報毎に、画像記憶部１１２ａ内の対応するフォルダに格納される。
【００４０】
なお、本実施形態においては、画像記憶部１１２ａに格納される画像データが画像受信部１１１ａによってインターネットファクシミリ装置３から受信された画像データである場合について説明するが、画像記憶部１１２ａに格納される画像データは、ファクシミリ機能により送信又は受信された画像データであれば、これに限定されるものではない。すなわち、画像記憶部１１２ａに格納される画像データは、インターネットファクシミリ機能によりインターネットファクシミリ装置３へ送信された画像データ、Ｇ３ファクシミリ機能によりＧ３ファクシミリ５２との間で送信又は受信された画像データ等であってもよい。
【００４１】
選択情報記憶部１１２ｂは、選択受付部１１１ｂによって受け付けられた選択情報を格納する。具体的には、選択受付部１１１ｂによって、クライアント端末装置４から受け付けられた画像データの画像識別情報を、そのクライアント端末装置４の識別情報である端末識別情報と対応付けて格納する。
【００４２】
図３は、ネットワークファクシミリ装置１の動作の一例を示すフローチャートである。まず、画像受信部１１１ａによって、インターネットファクシミリ装置３からインターネット２３等を介して、ＨＴＴＰのＰＯＳＴメソッドにより画像データを含むファクシミリデータが受信されか否かが判定される（Ｓ１）。ファクシミリデータが受信されていないと判定された場合（Ｓ１でＮＯ）には、処理がステップＳ５へ進められる。ファクシミリデータが受信されたと判定された場合（Ｓ１でＹＥＳ）には、画像受信部１１１ａによって、画像データを含むファクシミリデータを画像記憶部１１２ａの所定の領域（ここでは、フォルダ）に格納する画像データ格納処理が実行される（Ｓ３）。
【００４３】
そして、ステップＳ１でＮＯの場合、又は、ステップＳ３の処理が終了した場合には、選択受付部１１１ｂによって、クライアント端末装置４からユーザ識別情報及び選択情報が受け付けられたか否かの判定が行われる（Ｓ５）。選択情報が受け付けられていないと判定された場合（Ｓ５でＮＯ）には、処理がステップＳ９に進められる。選択情報が受け付けられたと判定された場合（Ｓ５でＹＥＳ）には、ＨＴＴＰプロトコルを介して、クライアント端末装置４からの指示を受け付けて、ステップＳ５で受け付けられたユーザ識別情報に対応する画像データの中からクライアント端末装置４へ送信する画像データが選択される（Ｓ７）。そして、ステップＳ５でＮＯの場合、又は、ステップＳ７の処理が終了した場合には、ＳＭＢプロトコルを介してクライアント端末装置４にユーザの所望する画像データを送信する送信実行処理が行われ（Ｓ９）、処理がステップＳ１に戻され、ステップＳ１以降の処理が繰り返し実行される。
【００４４】
図４は、図３に示すフローチャートのステップＳ３の画像データ格納処理の一例を示す詳細フローチャートである。なお、以下の処理は、画像受信部１１１ａによって行われる。まず、受信された画像データの宛先であるユーザ識別情報がインターネットファクシミリ装置３から取得される（Ｓ３０１）。そして、受信した画像データに、受信された順番を示す一連番号が画像識別情報として付与される（Ｓ３０３）。次に、ステップＳ３０１で取得したユーザ識別情報に対応するフォルダに、受信された画像データ及びステップＳ３０３で付与された画像識別情報が格納され（Ｓ３０５）、処理がリターンされる。
【００４５】
図５は、図３に示すフローチャートのステップＳ７の選択受付処理の一例を示す詳細フローチャートである。まず、選択受付部１１１ｂによって、ＨＴＴＰプロトコルを介して、クライアント端末装置４からユーザ識別情報が受信されたか否かの判定が行われる（Ｓ７０１）。ユーザ識別情報が受信されていないと判定された場合（Ｓ７０１でＮＯ）には、処理がリターンされる。ユーザ識別情報が受信されたと判定された場合（Ｓ７０１でＹＥＳ）には、選択受付部１１１ｂによって、ステップＳ７０１で受け付けられたユーザ識別情報に対応する画像データの内、未送信の（クライアント端末装置４に対して送信されていない）ものがあるか否かの判定が行われる（Ｓ７０３）。未送信の画像データがないと判定された場合（Ｓ７０３でＮＯ）には、処理がリターンされる。
【００４６】
未送信の画像データがあると判定された場合（Ｓ７０３でＹＥＳ）には、選択受付部１１１ｂによって、未送信の画像データが画像記憶部１１２ａから読み出され、読み出された画像データが、ＨＴＴＰプロトコルを介して、クライアント端末装置４のモニタに選択可能に表示されて、選択受付部１１１ｂによって、ＨＴＴＰプロトコルを介して、クライアント端末装置４からの操作入力が受け付けられ、送信する対象の画像データの選択情報が受け付けられる（Ｓ７０５）。そして、選択受付部１１１ｂによって、受け付けられた選択情報が選択情報記憶部１１２ｂに格納され（Ｓ７０７）、処理がリターンされる。
【００４７】
図６は、図３に示すフローチャートのステップＳ９の送信実行処理の一例を示す詳細フローチャートである。まず、画像読出部１１１ｃによって、図５に示すフローチャートのステップＳ７０５で選択情報が受け付けられ、画像データを未送信の（＝送信待ちの）選択情報が選択情報記憶部１１２ｂに格納されているか否かの判定が行われる（Ｓ９０１）。送信待ちの選択情報が格納されていないと判定された場合（Ｓ９０１でＮＯ）には、処理がリターンされる。
【００４８】
送信待ちの選択情報が格納されていると判定された場合（Ｓ９０１でＹＥＳ）には、画像読出部１１１ｃによって、送信待ちの選択情報が選択情報記憶部１１２ｂから読み出される（Ｓ９０３）。そして、画像読出部１１１ｃによって、送信待ちの選択情報に対応する画像データが画像記憶部１１２ａから読み出される（Ｓ９０５）。次いで、画像送信部１１１ｄによって、ステップＳ９０５で読み出された画像データがステップＳ９０３で読み出された選択情報に含まれる端末識別情報に対応するクライアント端末装置４へ、ＳＭＢプロトコルを介して、送信され（Ｓ９０７）、処理がリターンされる。
【００４９】
このようにして、ＨＴＴＰプロトコルを介してクライアント端末装置４から画像データの選択情報が受け付けられ、ＳＭＢプロトコルを介して画像データがクライアント端末装置４へ送信されるため、ＳＭＢプロトコルを介して画像データがクライアント端末装置４へ送信されている場合であっても、ＨＴＴＰプロトコルを介して画像データの選択情報が受け付けられる。従って、クライアント端末装置４が画像データを好適に取得することが可能となる。
【００５０】
また、ＨＴＴＰプロトコルを介してクライアント端末装置４から画像データの選択情報が受け付けられるため、クライアント端末装置４が画像データの選択情報を好適に受け付けることが可能となる。
【００５１】
更に、ＳＭＢプロトコルを介して画像データがクライアント端末装置４へ送信されるため、クライアント端末装置４がネットワークファクシミリ装置１に格納された画像データを好適に取得することが可能となる。
【００５２】
加えて、インターネットファクシミリ機能によりインターネットファクシミリ装置３から受信された画像データを、クライアント端末装置４が好適に取得することが可能となる。
【００５３】
ここでは、画像記憶部１１２ａに格納された画像データが、インターネットファクシミリ機能により受信された画像データである場合について説明したが、その他の画像データである形態でもよい。ここで、その他の画像データには、例えば、インターネットファクシミリ機能によりインターネットファクシミリ装置３へ送信された画像データ、Ｇ３ファクシミリ機能によりＧ３ファクシミリ５２との間で送信又は受信された画像データ、スキャン機能によりスキャンされた画像データ（読取部１１８で読み取られた画像データ）、クライアント端末装置４から送信された画像データ等が含まれる。
【００５４】
なお、本発明は、上記実施形態に限定されるものではなく、以下の形態でもよい。
（Ａ）本実施形態においては、文書管理装置がネットワークファクシミリ装置１である場合について説明したが、文書管理装置がＧ３ファクシミリ機能を有するファクシミリ装置、又は、Ｇ３ファクシミリ機能及びインターネットファクシミリ機能の少なくとも一方を有する複合機である形態でもよい。
【００５５】
（Ｂ）本実施形態においては、画像送信部１１１ｄが、ＳＭＢプロトコルを介して画像データをクライアント端末装置４へ送信する場合について説明したが、その他のプロトコル、例えば、ＣＩＦＳ（Ｃｏｍｍｏｎ  Ｉｎｔｅｒｎｅｔ  Ｆｉｌｅ  Ｓｙｓｔｅｍ）等ファイル共有の可能なプロトコルを介して画像データを送信する形態でもよい。
【図面の簡単な説明】
【００５６】
【図１】本発明に係るネットワークファクシミリシステムの一例を示す構成図である。
【図２】本発明の主要部の一例を示す機能構成図である。
【図３】ネットワークファクシミリ装置の動作の一例を説明するフローチャートである。
【図４】図３に示すフローチャートのステップＳ３の画像データ格納処理の一例を示す詳細フローチャートである。
【図５】図３に示すフローチャートのステップＳ７の選択受付処理の一例を示す詳細フローチャートである。
【図６】図３に示すフローチャートのステップＳ９の送信実行処理の一例を示す詳細フローチャートである。
【符号の説明】
【００５７】
１  ネットワークファクシミリ装置（文書管理装置）
１１１  ＣＰＵ（文書管理装置の一部）
１１１ａ  画像受信部
１１１ｂ  選択受付部（選択受付手段）
１１１ｃ  画像読出部（画像送信手段の一部）
１１１ｄ  画像送信部（画像送信手段の一部）
１１２  ＲＡＭ（文書管理装置の一部）
１１２ａ  画像記憶部（画像記憶手段）
１１２ｂ  選択情報記憶部
【図１】
0004605021.tif 000002
【図２】
0004605021.tif 000003
【図３】
0004605021.tif 000004
【図４】
0004605021.tif 000005
【図５】
0004605021.tif 000006
【図６】
0004605021.tif 000007